(57)【要約】  本発明は側面加圧式安全キャップに関するもので、本発明による側面加圧式安全キャップは、内容物が収容される容器本体の上部にねじ結合されて、容器の排出部を開閉させる安全キャップにおいて、外蓋の側面加圧を通じて結合突起と回転突起とが噛み合う場合のみキャップが開放されるように構造を設計することによって、これを認知することができない子供がキャップを開放することができないようにして、子供が人体に有害な物質を服用することを遮断して、内容物が不必要に無駄使いされることを防止することができる側面加圧式安全キャップに関する。  【選択図】なし
2013544719.tif 000002
【特許請求の範囲】
【請求項１】
内容物が収容される容器本体の上部にねじ結合されて、容器の排出部を開閉させる安全キャップにおいて、
前記容器本体の上部を囲んでねじ結合されるように、内周面に螺糸山が形成され、外周面には外周面を囲んで所定間隔離間された複数の結合突起が形成される内蓋と；
前記内蓋を囲んで結合され、その内周面の両側に前記複数の結合突起の間で突出して形成されて、前記結合突起と噛み合って、内蓋を回転させる回転突起が備えられた外蓋と；を含むことを特徴とする側面加圧式安全キャップ。
【請求項２】
前記結合突起は、内蓋の外周面から前方に突出される突出片
と、前記突出片の末端から一側に折曲される折曲部とで構成されることを特徴とする請求項１に記載の側面加圧式安全キャップ。
【請求項３】
前記折曲部は内蓋の外周面から遠くなるように末端部に行くほど緩やかな傾斜面を形成することを特徴とする請求項２に記載の側面加圧式安全キャップ。
【請求項４】
前記回転突起には前記結合突起の先端部が安着される安着溝が形成されることを特徴とする請求項１に記載の側面加圧式安全キャップ。
【請求項５】
前記外蓋には前記回転突起と対向する外周面に使用者が外蓋を加圧して回転可能に加圧部分を案内する加圧表示部が形成されることを特徴とする請求項１に記載の側面加圧式安全キャップ。
【発明の詳細な説明】
【技術分野】
【０００１】
本発明は側面加圧式安全キャップに関するもので、さらに詳しくは、外蓋の側面加圧を通じて結合突起と回転突起とが噛み合う場合のみキャップが開放されるように構造を設計することによって、これを認知することができない子供がキャップを開放することができないようにして、子供が人体に有害な物質を服用することを遮断して、内容物が不必要に無駄使いされることを防止することができる側面加圧式安全キャップに関する。
【背景技術】
【０００２】
一般に、キャップは容器本体の上部に結合されて、容器本体に収容された内容物が外部に流出されることを防止し、同時に、内容物の汚染を防止する役割を果たす。
【０００３】
このようなキャップは、容器本体に収容された螺糸山にねじ結合を通じて一側または他側への回転によって誰でも容易に開閉可能に構成され、認知力の劣っている子供または老弱者によってキャップが開放されて、内容物が流出されることで、内容物が不必要に無駄使いされる場合がある。特に、容器本体に人体に有害な内容物が収容されている場合、これを認知することができない子供が内容物を服用して事故が頻繁に発生している。
【０００４】
このような問題点を解消するために、キャップの上側を下方に押して加圧する時のみキャップが開放されることができる構造、及びキャップの両側面を加圧する場合のみキャップが開放されることができる構造など子供がキャップを容易に開放することが不可能に設計された安全キャップが多様に開発されている。
【０００５】
以下では、韓国登録実用新案第０３１８８６４号「子供開放防止用容器組立体」を参照して、従来の安全キャップを説明する。上記登録実用新案を参照すれば、従来の安全キャップは、上部の一部のみが開放された中空状の容器本体１０及び上記容器本体の開放部を覆って塞ぐ蓋２０で構成された容器組立体において、上記容器本体１０は容器の他の部分より相対的に小さい直径で延長されて形成された首１４と、上記首１４の上方端部が開放されて形成された排出口１１と、上記首１４の周辺に突出形成された雄締結螺子１２と、上記雄締結螺子１２の下部で上記首１４の周りに沿って放射方向の外側に所定の幅だけ延長されて形成されたフランジ１３と、上記フランジ１３の上面に突出して形成された係止突起１５とを備え、上記蓋２０は上記係止突起１５に対応して、その内壁面に形成された上部係止突起２５と、上記蓋２０の内側に上記排出口１１の外径と一致する内径で形成された内側蓋２３と、上記雄締結螺子１２に対応するように上記内側蓋２３の内壁面に突出して形成された雌締結螺子２２とを備えることを特徴とする。
【０００６】
しかし、上記のような従来の安全キャップは、蓋２０を開放する時、蓋２０の内部に形成された上部係止突起２５と噛み合う係止突起１５を形成するために、容器本体１０にフランジ１３を成形し、フランジ１３の上面に係止突起１５を形成しなければならないため、容器本体１０の構造が複雑になり、螺糸山のみが形成された多様な一般の容器には、上記蓋２０を結合して安全キャップの役割を果たすことが不可能であるという問題点があった。
【発明の概要】
【発明が解決しようとする課題】
【０００７】
本発明は上述した問題点を解決するために案出されたもので、本発明の目的は、外蓋の側面加圧を通じて結合突起と回転突起とが噛み合う場合のみキャップが開放されるように構造を設計することによって、これを認知することができない子供がキャップを開放することができないようにして、子供が人体に有害な物質を服用することを遮断して、内容物が不必要に無駄使いされることを防止することができる
側面加圧式安全キャップを提供する。
【０００８】
また、内蓋の結合突起と外蓋の回転突起が噛み合ってキャップが回転する場合、内蓋の内周面に形成された螺糸山が容器本体の螺糸山とねじ結合されて、キャップが開閉されるように構造を設計することによって、螺糸山が形成された全ての容器に適用することができる側面加圧式安全キャップを提供する。
【課題を解決するための手段】
【０００９】
上記のような問題点を解決するために、本発明による側面加圧式安全キャップは、内容物が収容される容器本体の上部にねじ結合されて、容器の排出部を開閉させる安全キャップにおいて、上記容器本体の上部を囲んでねじ結合されるように、内周面に螺糸山が形成され、外周面には外周面を囲んで所定間隔離間された複数の結合突起が形成される内蓋と；上記内蓋を囲んで結合され、その内周面の両側に上記複数の結合突起の間に突出して形成されて、上記結合突起と噛み合って内蓋を回転させる回転突起が備えられた外蓋と；を含むことを特徴とする。
【００１０】
また、上記結合突起は、内蓋の外周面から前方に突出される結合突起と、上記突出片の末端から一側に折曲される折曲部とで構成されることを特徴とする。
【００１１】
また、上記折曲部は内蓋の外周面から遠くなるように末端部に行くほど緩やかな傾斜面を形成することを特徴とする。
【００１２】
また、上記回転突起には上記結合突起の先端部が安着される安着溝が形成されることを特徴とする。
【００１３】
また、上記外蓋には上記回転突起と対向する外周面に使用者が外蓋を加圧して回転可能に加圧部分を案内する加圧表示部が形成されることを特徴とする。
【発明の効果】
【００１４】
上述したように、本発明によれば、外蓋の側面加圧を通じて結合突起と回転突起とが噛み合う場合のみキャップが開放されるように構造を設計することによって、これを認知することができない子供がキャップを開放することができないようにして、子供が人体に有害な物質を服用することを遮断して、内容物が不必要に無駄使いされることを防止することができるという長所がある。
【００１５】
また、内蓋の結合突起と外蓋の回転突起とが噛み合ってキャップが回転する場合、内蓋の内周面に形成された螺糸山が容器本体の螺糸山とねじ結合されて、キャップが開閉されるように構造を設計することによって、螺糸山が形成された全ての容器に適用することができるという長所がある。
【図面の簡単な説明】
【００１６】
【図１】本発明の好ましい実施形態による側面加圧式安全キャップの構成を示す分解斜視図である。
【図２】本発明の好ましい実施形態による側面加圧式安全キャップの構成を示す結合断面図である。
【図３】本発明の好ましい実施形態による側面加圧式安全キャップの加圧表示部を示す断面図である。
【図４】本発明の好ましい実施形態による側面加圧式安全キャップの内蓋と外蓋の結合による開閉状態を示す状態図である。
【図５】本発明の好ましい実施形態による側面加圧式安全キャップの内蓋と外蓋の結合による開閉状態を示す状態図である。
【発明を実施するための形態】
【００１７】
以下、図面を参照して本発明を詳しく説明する。各図面に提示された同じ符号は同じ部材を示す。
【００１８】
図１は本発明の好ましい実施形態による側面加圧式安全キャップの構成を示す分解斜視図であり、図２は本発明の好ましい実施形態による側面加圧式安全キャップの構成を示す結合断面図であり、図３は本発明の好ましい実施形態による側面加圧式安全キャップの加圧表示部を示す断面図である。図４及び図５は本発明の好ましい実施形態による側面加圧式安全キャップの内蓋と外蓋の結合による開閉状態を示す状態図である。
【００１９】
図１〜図５によれば、本発明の好ましい実施形態による側面加圧式安全キャップは、内蓋１００と外蓋２００とを含む。
【００２０】
上記内蓋１００は内容物が収容される容器本体１０の上部に形成された螺糸山１１にねじ結合されるもので、螺糸山１１とねじ結合可能に、その内周面に螺糸山１１０が形成される。
【００２１】
本発明において、上記内蓋１００の外周面には外周面を囲んで所定間隔離間された複数の結合突起１２０が形成されることが特徴であり、上記結合突起１２０は内蓋１００の外周面から前方に突出される突出片１２１と、上記突出片１２１の末端から一側に折曲される折曲部１２２とで構成される。
【００２２】
上記結合突起１２０は突出片１２１と折曲部１２２とで構成された「Ｌ」字状に形成されて、後述する外蓋２００の回転の時に、結合突起１２０の先端部１２０ａ及び末端部１２０ｂが回転突起２１０と噛み合って安全キャップの開閉を可能にする。
【００２３】
一方、上記折曲部１２２は内蓋１００の外周面から遠くなるように末端部へ行くほど緩やかな傾斜面を形成することが特徴であり、これによって、後述する外蓋２００を回転して安全キャップを閉鎖する際に、回転突起２１０が結合突起１２０の末端部１２０ｂと噛み合って内蓋１００が一緒に回転することを可能にする。
【００２４】
上記外蓋２００は上記内蓋１００を囲んで結合されて、回転によって上記結合突起１２０と噛み合って内蓋１００を回転させるもので、本発明において、上記外蓋２００の内周面の両側には上記複数の結合突起１２０の間で突出して形成される回転突起２１０が備えられることが特徴である。
【００２５】
上記回転突起２１０は、一側面は緩やかな傾斜をなし、他側面は９０度に近い急激な傾斜をなして、外蓋２００の一側または他側への回転によって、上記結合突起１２０の先端部１２０ａまたは末端部１２０ｂと噛み合って、内蓋１００の回転を可能にする。
【００２６】
上記回転突起２１０には上記結合突起１２０の先端部１２０ａが安着されるように安着溝２１１が形成されることが特徴であり、上記外蓋２００を両側で加圧して回転する時に、上記安着溝２１１に上記結合突起１２０の先端部１２０ａが安着されて、外蓋２００と一緒に内蓋１００が回転して、安全キャップが開放される。
【００２７】
一方、上記外蓋２００には上記回転突起２１０と対向する外周面に使用者が外蓋２００を加圧して回転可能に加圧部分を案内する加圧表示部２２０が形成されることが好ましい。
【００２８】
以下では、図４及び図５を参照して本発明の好ましい実施形態による側面加圧式安全キャップの開閉過程を説明する。
【００２９】
図４及び図５は本発明の好ましい実施形態による側面加圧式安全キャップの内蓋と外蓋の結合による開閉状態を示す状態図である。
【００３０】
まず、図４によれば、本発明の好ましい実施形態による側面加圧式安全キャップを閉鎖する際には、使用者が外蓋２００を把持した状態で、閉鎖方向に外蓋２００を回転させる。外蓋２００が回転されると、外蓋２００の内周面の両側に突出して形成された回転突起２１０が一緒に回転するようになって、上記回転突起２１０の回転によって回転突起２１０の急激な傾斜部分である他側面が上記結合突起１２０の末端部１２０ｂと噛み合って、内蓋１００を一緒に回転させる。これによって、使用者は一般のねじ結合式キャップを容器本体に閉める時と同じくキャップを閉めることができる。
【００３１】
次に、図５によれば、本発明の好ましい実施形態による側面加圧式安全キャップを開放する際には、使用者が外蓋２００の加圧表示部２２０を加圧した状態で、外蓋２００を開放方向に回転させる。加圧表示部２２０を加圧すれば、回転突起２１０が形成された部分である外蓋２００の両側が内側方向に若干凹まれ、この時、外蓋２００を開放方向に回転させれば、外蓋２００の回転突起２１０が結合突起１２０の先端部１２０ａと噛み合って、内蓋１００を一緒に回転させる。これによって、安全キャップが開放される。
【００３２】
一方、本発明で、安全キャップを開放する際に、加圧表示部２２０を加圧しない状態で、開放方向に外蓋２００を回転させると、結合突起１２０と回転突起２１０との相互離隔空間によって、結合突起１２０と回転突起２１０がズレて空転する現象が発生する。これによって、内蓋１００が回転しなくなって、安全キャップを開放することができなくなる。
【００３３】
図面及び明細書に最適な実施例が開示された。ここで特定用語を用いたが、これは本発明を説明するための目的で用いられたものであって、意味の限定や特許請求の範囲に記載された本発明の範囲を制限するためのものではない。従って、本発明が属する技術分野における通常の知識を有する者であれば、これから多様な変形及び均等な他の実施例が可能であることを理解すべきである。また、本発明の真の技術的保護範囲は特許請求の範囲の技術的思想によって定められるべきである。
【図１】
2013544719.tif 000003
【図２】
2013544719.tif 000004
【図３】
2013544719.tif 000005
【図４】
2013544719.tif 000006
【図５】
2013544719.tif 000007
【国際調査報告】
2013544719.tif 000008
2013544719.tif 000009
2013544719.tif 000010
2013544719.tif 000011